(57)【要約】      （修正有）【課題】飲料の味への影響を抑制して紫外線照射処理を行うことができる飲料供給装置および飲料供給方法を提供する。【解決手段】飲料を供給する流路３６と、マイクロウェーブ発生装置５０と、マイクロウェーブにより紫外線発光する発光体５８と、を備え、マイクロウェーブ発生装置５０により発生させたマイクロウェーブを発光体５８に照射して、発光体５８から発光した紫外線により飲料の紫外線照射処理を行う、飲料供給装置である。【選択図】図２
2018030117.tif 000002
【特許請求の範囲】
【請求項１】
飲料を供給する流路と、
マイクロウェーブ発生手段と、
マイクロウェーブにより紫外線発光する発光体と、
を備え、
前記マイクロウェーブ発生手段により発生させたマイクロウェーブを前記発光体に照射して、前記発光体から発光した紫外線により前記飲料の紫外線照射処理を行うことを特徴とする飲料供給装置。
【請求項２】
請求項１に記載の飲料供給装置であって、
前記マイクロウェーブ発生手段により発生させたマイクロウェーブを前記発光体に照射して、前記発光体から発光した紫外線により前記飲料の紫外線照射処理を行うとともに、前記流路の飲料供給口の外側に前記マイクロウェーブと前記発光体から発光した紫外線とを照射することを特徴とする飲料供給装置。
【請求項３】
マイクロウェーブ発生手段により発生させたマイクロウェーブを、マイクロウェーブにより紫外線発光する発光体に照射して、前記発光体から発光した紫外線により飲料の紫外線照射処理を行うことを特徴とする飲料供給方法。
【請求項４】
請求項３に記載の飲料供給方法であって、
前記マイクロウェーブ発生手段により発生させたマイクロウェーブを前記発光体に照射して、前記発光体から発光した紫外線により前記飲料の紫外線照射処理を行うとともに、飲料供給口の外側に前記マイクロウェーブと前記発光体から発光した紫外線とを照射することを特徴とする飲料供給方法。
【発明の詳細な説明】
【技術分野】
【０００１】
本発明は、飲料水等の飲料を供給するための、飲料供給装置および飲料供給方法に関する。
【背景技術】
【０００２】
カップ式飲料自動販売機は、供給される水道水等を原水としてホット飲料、炭酸飲料、シロップ飲料等の各種飲料をカップ内に調理して販売するものである。このようなカップ式飲料自動販売機に供給される水道水は、例えば、フィルタを通して塩素等が除去され、自動販売機内に設けられたリザーバで一旦貯留される。そこから、ポンプによって、飲料調理用の冷水、温水、炭酸水、製氷用水として機内に送水される。リザーバで貯留されている原水は塩素が除去されているため殺菌力が低下しており、雑菌が混入した場合にはそのまま飲料の調理用水として排出されてしまう可能性がある。
【０００３】
そのため、塩素発生器をリザーバに設置して定期的に電気分解を行うことで水道水中に含まれる塩化物イオンから殺菌力のある次亜塩素酸を生成し、流路内の菌の増殖を抑える方法が取られている（例えば、特許文献１参照）。
【０００４】
次亜塩素酸は経時的に減少していくため定期的に電気分解を行う必要があるが、水道水中の塩化物イオン濃度に依存して生成する次亜塩素酸濃度が変わるため、制御が非常に難しいことが知られている。さらに、調理用水中の次亜塩素酸濃度が高い場合には調理した飲料ににおいが残り、味が低下する可能性がある。そのため、残留性があり、飲料に影響を与えるような薬剤を使用しない、新しい菌の増殖抑制方法が検討されている。また、冷水を排出する冷水ノズルの外側に水が付着するとそこに菌が付着し、増殖することで冷水ノズル内に菌が進入する可能性もある。
【先行技術文献】
【特許文献】
【０００５】
【特許文献１】特開２００６−３１８１８５号公報
【発明の概要】
【発明が解決しようとする課題】
【０００６】
本発明の目的は、飲料の味への影響を抑制して紫外線照射処理を行うことができる飲料供給装置および飲料供給方法を提供することにある。
【課題を解決するための手段】
【０００７】
本発明は、飲料を供給する流路と、マイクロウェーブ発生手段と、マイクロウェーブにより紫外線発光する発光体と、を備え、前記マイクロウェーブ発生手段により発生させたマイクロウェーブを前記発光体に照射して、前記発光体から発光した紫外線により前記飲料の紫外線照射処理を行う、飲料供給装置である。
【０００８】
前記飲料供給装置において、前記マイクロウェーブ発生手段により発生させたマイクロウェーブを前記発光体に照射して、前記発光体から発光した紫外線により前記飲料の紫外線照射処理を行うとともに、前記流路の飲料供給口の外側に前記マイクロウェーブと前記発光体から発光した紫外線とを照射することが好ましい。
【０００９】
また、本発明は、マイクロウェーブ発生手段により発生させたマイクロウェーブを、マイクロウェーブにより紫外線発光する発光体に照射して、前記発光体から発光した紫外線により飲料の紫外線照射処理を行う、飲料供給方法である。
【００１０】
前記飲料供給方法において、前記マイクロウェーブ発生手段により発生させたマイクロウェーブを前記発光体に照射して、前記発光体から発光した紫外線により前記飲料の紫外線照射処理を行うとともに、飲料供給口の外側に前記マイクロウェーブと前記発光体から発光した紫外線とを照射することが好ましい。
【発明の効果】
【００１１】
本発明によれば、飲料の味への影響を抑制して紫外線照射処理を行うことができる飲料供給装置および飲料供給方法を提供することが可能となる。
【図面の簡単な説明】
【００１２】
【図１】本発明の実施形態に係る飲料供給装置の一例を示す概略構成図である。
【図２】本発明の実施形態に係る飲料供給装置における紫外線照射処理装置の一例を示す概略構成図である。
【図３】本発明の実施形態に係る飲料供給装置における冷水供給流路の先端部付近の一例を示す概略図であり、（ａ）は側面図、（ｂ）は上面図である。
【図４】本発明の実施形態に係る飲料供給装置における紫外線照射処理装置の他の例を示す概略構成図である。
【発明を実施するための形態】
【００１３】
本発明の実施の形態について以下説明する。本実施形態は本発明を実施する一例であって、本発明は本実施形態に限定されるものではない。
【００１４】
本発明の実施形態に係る飲料供給装置の一例の概略を図１に示し、その構成について説明する。飲料供給装置の一例として、カップ式飲料自動販売機の水流路部を例として以下説明するが、本実施形態に係る飲料供給装置は、これに限定されるものではない。
【００１５】
飲料供給装置１は、飲料水を供給する流路として、冷水供給流路３６と、マイクロウェーブ発生手段であるマイクロウェーブ発生装置を有する紫外線照射処理装置２２とを備える。飲料供給装置１は、飲料水用の原水を貯留するためのリザーバ１０と、原水を冷却して冷水を製造する冷水製造手段として冷却タンク１２と、原水から製氷する製氷手段として製氷装置１４と、氷を供給する氷供給流路４０と、原水に二酸化炭素を混合して炭酸水を製造する炭酸水製造手段として炭酸水タンク１６と、炭酸水を供給する炭酸水供給流路４４と、原水を加熱して温水を製造する温水製造手段として温水タンク１８と、温水を供給する温水供給流路４８と、を備える。
【００１６】
図１の飲料供給装置１において、リザーバ１０の入口には、原水供給流路３２がフィルタ２０を介して接続されている。リザーバ１０の製氷用原水出口と製氷装置１４の入口とは、原水流路３８により接続されている。製氷装置１４の出口には、氷供給流路４０が接続されている。リザーバ１０の原水出口と冷却タンク１２の入口とは、ポンプ２４を介して原水流路３４により接続されている。冷却タンク１２の出口には、バルブ２６を介して冷水供給流路３６が接続されている。冷水供給流路３６の冷水供給口（飲料水供給口）付近には、紫外線照射処理装置２２が設置されている。原水流路３４におけるポンプ２４の後流側と炭酸水タンク１６の入口とは、バルブ２８を介して原水流路４２により接続されている。炭酸水タンク１６の出口には、炭酸水供給流路４４が接続されている。原水流路３４におけるポンプ２４の後流側と温水タンク１８の入口とは、バルブ３０を介して原水流路４６により接続されている。温水タンク１８の出口には、温水供給流路４８が接続されている。
【００１７】
紫外線照射処理装置２２の一例の概略構成を図２に示す。
【００１８】
紫外線照射処理装置２２の例えば長方体形状の筐体５６には、冷水供給流路３６のチューブ部６０と冷水供給口（ノズル部）６２とを含む先端部が挿入されている。マイクロウェーブにより紫外線発光する発光体５８が冷水供給流路３６の先端部（チューブ部６０とノズル部６２）を覆うように設置されている。発光体５８は、例えば図３（（ａ）は側面図、（ｂ）は上面図）に示すように、ドーナツ状の円筒型の形状を有し、発光体５８の内側空間に冷水供給流路３６の先端部が挿入されている。こうして冷水供給流路３６の先端部および発光体５８の少なくとも一部は、紫外線照射処理装置２２の筐体５６により囲まれている。なお、冷水供給流路３６のチューブ部を、ドーナツ状の円筒型の発光体の内側空間の入口部分に溶接して発光体の内側を直接通水させてもよい。この場合は、発光体の内側空間の出口部分が冷水供給口（ノズル部）として機能することになる。
【００１９】
図２に示すように、紫外線照射処理装置２２は、マイクロウェーブ発生手段としてマイクロウェーブ発生装置５０を有し、マイクロウェーブ発生装置５０が、冷水供給流路３６の先端部に設置された発光体５８にマイクロウェーブを照射できるように設置されている。
【００２０】
本実施形態に係る飲料供給方法および飲料供給装置１の動作について説明する。
【００２１】
図１に示すように、水道水等の原水は、フィルタ２０により塩素等が除去され、原水供給流路３２を通してリザーバ１０に供給されて貯留される。リザーバ１０に貯留された原水の少なくとも一部は、バルブ２６が開状態、バルブ２８，３０が閉状態とされて、ポンプ２４により原水流路３４を通して冷却タンク１２に供給される。冷却タンク１２において、原水は、図示しない冷却装置により冷却されて、冷水供給流路３６を通して、紫外線照射処理装置２２により紫外線照射処理がされた（紫外線照射処理工程）後、冷水（飲料水）として冷水供給口（飲料水供給口）から図示しない飲料調理部に所定量が供給される。
【００２２】
こうしてマイクロウェーブ発生装置５０により発生させたマイクロウェーブを発光体５８に照射して、発光体５８から発光した紫外線により飲料水の紫外線照射処理を行う。紫外線照射処理では、マイクロウェーブの照射により発光体５８から発光された紫外線によって、主に、冷水の細菌類の殺菌処理が行われる。
【００２３】
このように、水道水等の原水を貯留するリザーバ１０を設け、リザーバ１０に貯留した原水を製氷、冷水、炭酸水、温水として使用するカップ式飲料自動販売機において、飲料調理部の前の冷水供給口付近に、マイクロウェーブを内部で発生し、マイクロウェーブを遮蔽する反応容器である筐体５６を搭載し、筐体５６の内部にマイクロウェーブによって紫外線を発光する円筒状等の発光体５８と冷水を送水する冷水供給流路３６の先端部（チューブ部６０とノズル部６２）とを設置し、発光体５８からの紫外線の照射により冷水の殺菌を行う機構を備えるようにした。また、発光体５８からの紫外線の照射により冷水供給流路３６の先端部（チューブ部６０とノズル部６２）の殺菌も行うことができる。
【００２４】
本実施形態に係る飲料供給方法および飲料供給装置により、飲料水等の飲料の味への影響を抑制して殺菌処理を行うことができる。冷水および冷水供給流路３６の先端部（チューブ部６０とノズル部６２）の殺菌を行い、菌の増殖を抑制することができる。例えば飲料水を調理用または飲料用の水として使用する前に紫外線により殺菌することが可能となり、安全な飲料水等の飲料を提供することが可能となる。
【００２５】
また、図４に示すように、冷水供給流路３６の先端部のチューブ部６０を覆うように発光体５８を設置し、筐体５６内の冷水を送水する冷水供給流路３６のチューブ部６０に紫外線を照射するとともにノズル部６２の外側に紫外線とマイクロウェーブが照射されるように紫外線を発光する発光体５８を設置してもよい。マイクロウェーブ発生装置５０により発生させたマイクロウェーブを発光体５８に照射して、発光体５８から発光した紫外線により飲料水の紫外線照射処理を行うとともに、冷水供給流路３６の冷水供給口（ノズル部６２）の外側にマイクロウェーブと発光体５８から発光した紫外線とを照射する。ノズル部６２の外側に付着した水も紫外線により殺菌しながらマイクロウェーブで加熱することによって、ノズル部６２を素早く乾燥させることができ、菌の増殖をより抑制することが可能となる。
【００２６】
図２，４の例では、発光体５８のノズル部６２側の一端が筐体５６内に入り、ノズル部６２と反対側の他端は筐体５６の外に露出するように発光体５８が設置されているが、ノズル部６２と反対側の他端も筐体５６内に入るように発光体５８が設置されてもよい。ノズル部６２と反対側の他端が筐体５６の外に露出するように発光体５８が設置されると、流路に紫外線量を多く照射できるという利点がある。
【００２７】
図１の飲料供給装置１において、炭酸水を供給する場合は、リザーバ１０に貯留された原水の少なくとも一部は、バルブ２８が開状態、バルブ２６，３０が閉状態とされて、ポンプ２４により原水流路３４，４２を通して炭酸水タンク１６に供給される。炭酸水タンク１６において、図示しない炭酸ガスボンベ等から炭酸ガス（二酸化炭素ガス）が原水に供給されて、炭酸水として、炭酸水供給流路４４を通して、図示しない飲料調理部に所定量が供給される。
【００２８】
温水を供給する場合は、リザーバ１０に貯留された原水の少なくとも一部は、バルブ３０が開状態、バルブ２６，２８が閉状態とされて、ポンプ２４により原水流路３４，４６を通して温水タンク１８に供給される。温水タンク１８において、図示しないヒータ等の加熱装置により原水が加熱されて、温水として、温水供給流路４８を通して、図示しない飲料調理部に所定量が供給される。
【００２９】
氷を供給する場合は、リザーバ１０に貯留された原水の少なくとも一部は、原水流路３８を通して製氷装置１４に供給される。製氷装置１４において、図示しない冷却装置により原水が冷却されて製氷され、氷として、氷供給流路４０を通して、図示しない飲料調理部に所定量が供給される。
【００３０】
飲料調理部では、例えば、氷、冷水、炭酸水および温水のうちの少なくとも１つに、シロップ等の飲料原液や、砂糖等の調味料とカップ内等で混合されて、ホット飲料、炭酸飲料、シロップ飲料等の各種飲料が調理され、販売される。
【００３１】
図１の例では、紫外線照射処理装置２２は、冷水供給流路３６の冷水供給口（飲料水供給口）を含む先端部付近に設けられ、紫外線照射処理が行われている。これにより、飲料調理部への冷水（飲料水）供給直前に紫外線照射による殺菌処理が行われるため、より効果が高い。紫外線照射処理装置２２の設置位置は、冷水供給流路３６の供給口を含む先端部付近に限られず、水が流通する経路、装置のうちの少なくとも１つに設置されて、紫外線照射処理が行われればよい。例えば、リザーバ１０、原水流路３４，４２，４６や、冷水供給流路３６の先端部以外のうちの少なくとも１つに設置されて、紫外線照射処理が行われてもよい。また、製氷装置１４、原水流路３８のうちの少なくとも１つに設置されて、紫外線照射処理が行われてもよい。炭酸水供給流路４４はｐＨが低い（例えば、４〜５．５）炭酸水が通るため、また、温水供給流路４８は加熱された（例えば、８８℃〜９８℃）温水が通るため、菌が増殖する可能性は低いが、炭酸水供給流路４４および温水供給流路４８のうちの少なくとも１つに設置されて、紫外線照射処理が行われてもよい。
【００３２】
処理対象となる原水は、例えば、水道水、溜め水、井戸水等であり、特に制限はない。処理対象となる原水の細菌数は、例えば、１００個／ｍＬ以上１００，０００個／ｍＬ以下である。
【００３３】
マイクロウェーブ発生装置５０は、マイクロウェーブ（周波数：例えば、２．４５０ＧＨｚ±０．０５ＧＨｚ、５．８００ＧＨｚ±０．０７５ＧＨｚ、２４．１２５ＧＨｚ±０．１２５ＧＨｚ）を発生することができるものであればよく、その構成は特に制限はない。例えば、真空管を用いるマグネトロン方式の他に、半導体を用いるソリッドステート方式等が挙げられる。マグネトロン方式の発振器は、家庭用から業務用の電子レンジに幅広く用いられており比較的安価に入手できる利点があり、ソリッドステート方式の発振器は、寿命が比較的長く、波長の安定性が良好である等の利点がある。
【００３４】
マイクロウェーブ発生装置５０の構成例として、例えば、図２に示すように、電源装置５２と、マイクロウェーブ発振器５４と、導波管である筐体５６とを備える構成が挙げられる。
【００３５】
例えば、電源装置５２から供給された電源により、マイクロウェーブ発振器５４が発生したマイクロウェーブが、導波管である筐体５６を通り、発光体５８に照射される。図示しないスリースタブチューナにより、導波管である筐体５６におけるインピーダンス整合を調整してもよい。マイクロウェーブ発生装置５０は、筐体５６の発光体５８を挟んだ対抗側に短絡器（図示せず）を備えていてもよい。
【００３６】
マイクロウェーブの照射は、発光体５８のある１方向から行ってもよいし、２方向以上の複数方向から行ってもよい。発光体５８の径が大きくなると（例えば、３０ｃｍ以上）、マイクロウェーブが中心部まで到達しない場合があるので、発光体５８に対して２方向以上の複数方向から照射を行うことが好ましい。
【００３７】
発光体５８は、マイクロウェーブにより紫外線（例えば、波長１００ｎｍ〜４００ｎｍの光）発光するものであればよく、紫外線以外に可視光線（例えば、波長４００ｎｍ〜７８０ｎｍの光）や赤外線（例えば、波長７８０ｎｍ〜１ｍｍの光）の発生有無による制限は特にない。発光体５８としては、例えば、紫外線の吸収が小さい石英製やテフロン（登録商標）樹脂等のフッ素樹脂製であって、ドーナツ状の円筒形状、四角筒等の多角筒形状等の容器に、水銀ガス、水素ガス、キセノンガス、窒素ガス、アルゴンガス、ヘリウムガス、塩素ガス、フッ素ガス、重水素ガス等の、マイクロウェーブにより紫外線発光する放電ガスを所定の封入圧で封入した無電極紫外線発光体等が挙げられる。放電ガスを封入した無電極紫外線発光体に、マイクロウェーブを照射することにより、ガスが励起され、紫外線を発光する。放電ガスや封入圧を適宜選択することにより、発光波長を調整することができる。
【００３８】
また、石英ガラス等のマイクロウェーブを透過する材質製の、ドーナツ状の円筒形状、多角筒形状等の充填容器を、冷水供給流路３６の先端部を覆うように設置し、球形状や、円筒の両端を球状にしたカプセル形状等の容器に、水銀ガス、水素ガス、キセノンガス、窒素ガス、アルゴンガス、ヘリウムガス、塩素ガス、フッ素ガス、重水素ガス等の、マイクロウェーブにより紫外線発光する放電ガスを所定の封入圧で封入した無電極紫外線発光カプセル等を粒状の発光体として、充填容器に充填した構成のものを用いてもよい。放電ガスを封入した無電極紫外線発光カプセルに、マイクロウェーブを照射することにより、ガスが励起され、紫外線を発光する。
【００３９】
発光体５８がドーナツ状の円筒形状の場合、外径は、例えば、６ｍｍ〜２５ｍｍの範囲であり、内径は、例えば、４ｍｍ〜１５ｍｍの範囲であり、高さは、例えば、０ｍｍ〜１００ｍｍの範囲である。
【００４０】
発光体５８が粒状の発光体であり、球形状の場合、最大径は、例えば、１．０ｍｍ〜１０ｍｍの範囲であり、２．０ｍｍ〜４．０ｍｍの範囲であることが好ましい。粒状の発光体が円筒の両端を球状にしたカプセル形状の場合、径は、例えば、１．０ｍｍ〜１０ｍｍの範囲であり、２．０ｍｍ〜４．０ｍｍの範囲であることが好ましく、高さは、例えば、２．０ｍｍ〜２０ｍｍの範囲であり、４．０ｍｍ〜８．０ｍｍの範囲であることが好ましい。
【００４１】
発光体５８の発光波長は、処理対象となる原水に含まれる細菌類の種類等に応じて適宜選択すればよく、特に制限はない。細菌類の殺菌処理を主に行うには、通常、波長２５４±０．７ｎｍや２６０±０．７ｎｍの紫外線を発生する発光体が用いられる。なお、有機物の酸化分解処理を主に行う場合には、通常、波長１８５±０．１ｎｍや２２０±０．１ｎｍの紫外線を発生する発光体が用いられる。
【００４２】
発光体５８として、発光波長の異なる２種類以上の発光体を用いてもよい。発光波長の異なる２種類以上の発光体の使用比率は、特に制限はなく、原水の水質等に応じて、適宜変更すればよい。マイクロウェーブは水に吸収されやすいため、発光体に過剰に出力を与える場合があり、エネルギー的に損失が大きい。発光波長の異なる２種類以上の発光体を用い、その充填比率を適宜変更することにより、有機物、細菌類の両方を所定の除去率あるいは所定の処理液濃度とするために、いずれの対象に対しても適切な線量とすることができ、消費電力からみても効率的である。
【００４３】
筐体５６は、長方体等の多面体形状等の容器であり、マイクロウェーブを遮蔽する材質のものであればよく、特に制限はない。筐体５６の材質としては、例えば、アルミ、銅等の金属等が挙げられる。上記の通り、筐体５６は、マイクロウェーブの導波管としても機能する。
【００４４】
紫外線照射処理が行われる部分（例えば、図１，２の例では、冷水供給流路３６の先端部（チューブ部６０とノズル部６２））の材質は、紫外線が透過する材料であればよく、特に制限はない。例えば、石英ガラス等が挙げられる。先端部とは、例えば、冷水供給流路３６等の流路の先端から１００ｍｍ以下の部分のことをいう。
【００４５】
フィルタ２０は、原水中の塩素や固形分等を除去することができるものであればよく、特に制限はない。フィルタ２０としては、例えば、活性炭フィルタ、中空糸膜等が挙げられる。
【００４６】
リザーバ１０は、飲料水用の原水を貯留することができるものであればよく、特に制限はない。リザーバ１０には、例えば、レベルセンサが設置され、原水が所定量以下になった場合に原水が自動供給される構成としてもよい。
【００４７】
冷却タンク１２は、原水を冷却する冷却手段として冷却装置を備える。冷却装置としては、原水を冷却することができるものであればよく、特に制限はないが、例えば、冷媒を用いる冷却装置、熱交換器等が挙げられる。冷水の温度は、例えば、２℃〜１０℃の範囲である。
【００４８】
製氷装置１４は、原水から製氷できるものであればよく、特に制限はない。製氷装置１４としては、例えば、冷却された製氷室（セル）に原水を噴射しながら氷結させて製氷するセル方式、冷却された円筒の中に原水を通して氷結させ、スクリュ（オーガ）でかき上げて製氷するオーガ方式等が挙げられる。図１の例では、製氷装置１４には、リザーバ１０からポンプを用いずに原水が自動的に供給されているが、ポンプを用いて原水が供給されてもよい。
【００４９】
温水タンク１８は、原水を加熱する加熱手段として加熱装置を備える。加熱装置としては、原水を加熱することができるものであればよく、特に制限はないが、例えば、ヒータ、ヒートポンプ、熱交換器等が挙げられる。温水の温度は、例えば、８８℃〜９８℃の範囲である。
【００５０】
炭酸水タンク１６は、原水に炭酸ガス（二酸化炭素ガス）を供給して混合する、炭酸ガス供給手段を備える。例えば、炭酸ガス供給手段として炭酸ガスボンベから炭酸ガスが炭酸水タンク１６内へ供給され、原水に炭酸ガスが混合される。
【００５１】
本実施形態に係る飲料供給方法および飲料供給装置は、カップ式飲料自動販売機、ウォーターサーバ等の飲料水供給装置等の水流路部における殺菌処理、加熱処理等に好適に適用可能である。
【００５２】
本実施形態に係る飲料供給方法および飲料供給装置により、例えば細菌数で２，０００個／ｍＬ以上の原水等の原液の液質を、例えば細菌数で１個／ｍＬ以下の飲料水（処理水）等の飲料とすることができる。
【００５３】
本実施形態に係る飲料供給方法および飲料供給装置において供給する飲料としては、飲料水の他に、清涼飲料や茶、コーヒー等の飲料が挙げられる。
【実施例】
【００５４】
以下、実施例および比較例を挙げ、本発明をより具体的に詳細に説明するが、本発明は、以下の実施例に限定されるものではない。
【００５５】
＜実施例１および比較例１＞
実施例１では、カップ式飲料自動販売機の冷水出口（供給口）に図２に示す紫外線照射処理装置を搭載し、殺菌試験を行った。比較例１では、紫外線照射処理装置を搭載せずに、殺菌試験を行った。原水として、水道水（一般生菌数：０個／ｍＬ）を用いた。
【００５６】
紫外線照射処理装置の仕様は以下の通りとした。
【００５７】
［筐体］
・筐体形状：幅２００ｍｍ×奥行１０９．２２ｍｍ×高さ５４．６１ｍｍの長方体
・筐体材質：アルミニウム製
【００５８】
［冷水供給流路］
先端部：ノズル部を有する石英製の円筒状チューブ  φ５ｍｍ
【００５９】
［紫外線発光体（無電極紫外線発光体）の詳細］
・サイズ：ガス封入部  外径１５ｍｍ、内径５ｍｍ×高さ（Ｌ）１０ｍｍ  ドーナツ状円筒型
・材質：石英ガラス
・封入ガス：水銀ガス、封入圧力１０Ｐａ
・ピーク波長：２５４ｎｍ
【００６０】
［マイクロウェーブ発生装置］
・電源装置：３００Ｗ（３０〜３００Ｗ可変式）  投入電力２００Ｗ
・マイクロウェーブ発振器：マグネトロン
・周波数：２．４５ＧＨｚ
・導波管：Ｌ４００ｍｍ×Ｗ２００ｍｍ×Ｈ３００ｍｍ、アルミニウム製
・チューナー：スリースタブ方式
【００６１】
実施例１では、カップ式飲料自動販売機の飲料調理部の前の冷水供給口付近にマイクロウェーブを遮蔽する筐体（反応容器）を設置し、その中に冷水供給流路の出口の先端部（チューブ部とノズル部）とマイクロウェーブにより紫外線発光する無電極紫外線発光体を設置することで、発光体からの紫外線の照射により冷水および冷水供給流路の先端部の殺菌を行った。無電極紫外線発光体の内側の空間に、石英製の円筒状のチューブ部を差し込み、図４に示すようにノズル部は露出させて、冷水を通水できるようにした。
【００６２】
マイクロウェーブ発生装置の電源装置の投入電力を、３０Ｗに設定した。実施例１と比較例１の冷水の水質（一般生菌数）を表１に示す。一般生菌数は、標準寒天培地法（標準寒天培地（栄研化学製）を用いて３６±１℃で２４±２時間培養し、コロニー数を測定）で測定した。
【００６３】
【表１】
2018030117.tif 000003
【００６４】
カップ式飲料自動販売機を１ヶ月稼動した後の冷水出口から得られた冷水中の一般生菌数は、比較例１の通常のカップ式飲料自動販売機が３２００個／ｍＬであったのに対して、実施例１の方法では一般生菌数が１個／ｍＬと殺菌処理が良好に行われていることが確認できた。また、実施例１の方法では、殺菌に次亜塩素酸を用いていないため、味への影響はほとんどなかった。
【００６５】
このように、実施例の方法により、飲料水の味への影響を抑制して紫外線照射処理を行うことができた。
【符号の説明】
【００６６】
１  飲料供給装置、１０  リザーバ、１２  冷却タンク、１４  製氷装置、１６  炭酸水タンク、１８  温水タンク、２０  フィルタ、２２  紫外線照射処理装置、２４  ポンプ、２６，２８，３０  バルブ、３２  原水供給流路、３４，３８，４２，４６  原水流路、３６  冷水供給流路、４０  氷供給流路、４４  炭酸水供給流路、４８  温水供給流路、５０  マイクロウェーブ発生装置、５２  電源装置、５４  マイクロウェーブ発振器、５６  筐体、５８  発光体、６０  チューブ部、６２  冷水供給口（ノズル部）。
【図１】
2018030117.tif 000004
【図２】
2018030117.tif 000005
【図３】
2018030117.tif 000006
【図４】
2018030117.tif 000007